(57)【要約】【課題】軽量化および折り畳み状態でのコンパクト化を図ることが可能な折り畳み式テントを提供する。【解決手段】横方向に離れ、軸Ｏ１周りに回動可能に連結された前脚部１０Ａおよび後脚部１０Ｂを有する一対のフレーム１０と、横方向に離れた両端部を有するアーチ状とされ、かつ一対のフレーム１０に支持され、前後方向において離間する展開状態および前後方向において近接する折り畳み状態をとるように各々の両端部どうしが軸Ｏ１より下位にて軸Ｏ２周りに回動可能に連結されたフレーム１１，１２，１３と、展開状態をとるフレーム１１〜１３によって規定された領域を覆うシート材と、を備える。フレーム１１は各フレーム１０の前脚部１０Ａに軸Ｏ１より下位かつ軸Ｏ２より上位にて軸Ｏ３周りに回動可能に連結され、フレーム１２は各フレーム１０の後脚部１０Ｂに軸Ｏ１より下位かつ軸Ｏ２より上位にて軸Ｏ４周りに回動可能に連結され、フレーム１３は各フレーム１０の後脚部１０Ｂにおける軸Ｏ４より下位の部位を摺動可能に支持する。【選択図】図５
2014091931.tif 000002
【特許請求の範囲】
【請求項１】
横方向に離れて位置し、各々が横方向に延びる第１の軸を中心として回動可能に連結された前脚部および後脚部を有する左右一対の脚フレームと、
各々が横方向に離れた両端部を有するアーチ状とされ、かつ上記一対の脚フレームに支持されており、前後方向において相互に離間する展開状態、および前後方向において相互に近接する折り畳み状態、をとりうるように各々の両端部どうしが上記第１の軸より下位に位置して横方向に延びる第２の軸を中心として回動可能に連結された第１、第２および第３のメインフレームと、
上記展開状態をとる上記第１、第２および第３のメインフレームによって規定された領域を覆うシート材と、を備え、
上記第１のメインフレームは、上記各脚フレームの上記前脚部に対して上記第１の軸より下位かつ上記第２の軸より上位に位置して横方向に延びる第３の軸周りに回動可能に連結され、
上記第２のメインフレームは、上記各脚フレームの上記後脚部に対して上記第１の軸より下位かつ上記第２の軸より上位に位置して横方向に延びる第４の軸周りに回動可能に連結され、
上記第３のメインフレームは、上記各脚フレームの上記後脚部における上記第４の軸より下位の所定の部位を所定の長さの範囲で摺動可能に支持する支持手段を備えることを特徴とする、折り畳み式テント。
【請求項２】
上記第１、第２および第３のメインフレームが展開状態をとるとき、上記第１および第２のメインフレームの上記第２の軸周りの相対回動を規制する回動規制手段を備える、請求項１に記載の折り畳み式テント。
【請求項３】
上記回動規制手段は、両端部が上記第１および第２のメインフレームそれぞれに連結され、前後方向に延びる補助フレームを含む、請求項２に記載の折り畳み式テント。
【請求項４】
上記補助フレームは、一端が上記第１および第２のメインフレームの一方に対して横方向に延びる第５の軸周りに回動可能に連結され、他端が上記第１および第２のメインフレームの他方に対して着脱可能に連結される、請求項３に記載の折り畳み式テント。
【請求項５】
上記支持手段は、上記第３のメインフレームに沿う方向に延びるように当該第３のメインフレームに設けられたガイド溝と、
上記ガイド溝にスライド可能に嵌入させられ、上記各脚フレームの上記後脚部に設けられたガイドピンと、を含み、
上記第１、第２および第３のメインフレームが展開状態をとるとき、上記ガイドピンが上記ガイド溝の後方端に位置する、請求項１ないし４のいずれかに記載の折り畳み式テント。
【請求項６】
上記第１、第２および第３のメインフレームが上記展開状態をとるとき、上記前脚部は前方に向かうほど下方に変位するように傾斜して延び、上記後脚部は後方に向かうほど下方に変位するように傾斜して延びる、請求項１ないし５のいずれかに記載の折り畳み式テント。
【請求項７】
上記前脚部および後脚部の各々の下端には、上記第１、第２および第３のメインフレームが上記展開状態をとるときに水平面に沿う接地用プレートが設けられている、請求項１ないし６のいずれかに記載の折り畳み式テント。
【請求項８】
上記第１、第２および第３のメインフレームが上記展開状態をとるとき、上記前脚部および後脚部の上記第１の軸周りの相対回動を規制する追加の回動規制手段を備える、請求項１ないし７のいずれかに記載の折り畳み式テント。
【請求項９】
上記脚フレームには、上記シート材によって囲まれた空間の内側に位置する灰皿が設けられている、請求項１ないし８のいずれかに記載の折り畳み式テント。
【請求項１０】
横方向に離れて位置し、各々が横方向に延びる第１の軸を中心として回動可能に連結された前脚部および後脚部を有する左右一対の脚フレームと、
各々が横方向に離れた両端部を有するアーチ状とされ、かつ上記一対の脚フレームに支持されており、前後方向において相互に離間する展開状態、および前後方向において相互に近接する折り畳み状態、をとりうるように各々の両端部どうしが上記第１の軸より下位に位置して横方向に延びる第２の軸を中心として回動可能に連結された第１、第２および第３のメインフレームと、を備え、
上記第１のメインフレームは、上記各脚フレームの上記前脚部に対して上記第１の軸より下位かつ上記第２の軸より上位に位置して横方向に延びる第３の軸周りに回動可能に連結され、
上記第２のメインフレームは、上記各脚フレームの上記後脚部に対して上記第１の軸より下位かつ上記第２の軸より上位に位置して横方向に延びる第４の軸周りに回動可能に連結され、
上記第３のメインフレームは、上記各脚フレームの上記後脚部における上記第４の軸より下位の所定の部位を所定の長さの範囲で摺動可能に支持する支持手段を備えることを特徴とする、折り畳み式テントのフレーム構造体。
【発明の詳細な説明】
【技術分野】
【０００１】
本発明は、折り畳み式テントに関し、特に屋外用の喫煙スペースとして利用するのに適した折り畳み式テントに関する。
【背景技術】
【０００２】
従来、ビルや店舗などの建物内においては、分煙の必要性から喫煙スペースが定められている。また、分煙をより徹底させる要請から、間仕切り等によって喫煙所をその周囲と区画した喫煙ブースを設置し、換気ファン等によって当該ブース内の空気を強制的に吸引して屋外に排出する構成も一般に採用されている。一方、屋外における喫煙スペースとしては、たとえば指定場所に大型の灰皿を設置しただけのものが多い。これは、屋外においては外気にさらされているので分煙の必要性が希薄であることによるものと考えられる。
【０００３】
最近では、屋外における喫煙スペースの提供を目的とした折り畳み可能な喫煙ブースが提案されている（たとえば、特許文献１を参照）。特許文献１に記載された喫煙ブースは、側面部と天井部により所定空間を取り囲むフレームと、フレームの側面部および天井部にそれぞれ張設されたシート材とを備えて構成されている。フレームの側面部は、垂直方向の回動軸周りに相互折り畳み回動可能に連結された複数の側面フレームによって構成れている。各側面フレームは、パイプにより形成された略矩形枠状部分と、この枠状部分の対角に張られた斜パイプとによって、トラス構造とされている。このような構成によれば、側面フレームを展開した状態において、比較的に広い内部空間を形成することが可能である。
【０００４】
しかしながら、上記従来の喫煙ブースにおいては、トラス構造を有する複数の側面フレームを備えた構成とされているため、フレーム全体として大掛かりな構造となって重量が嵩んでいた。そのため、折り畳むことが可能であっても、折り畳み状態での収納や移設を容易に行うことができなかった。
【先行技術文献】
【特許文献】
【０００５】
【特許文献１】特開２００９−６２７３２号公報
【発明の概要】
【発明が解決しようとする課題】
【０００６】
本発明は、このような事情のもとで考え出されたものであって、軽量化および折り畳み状態でのコンパクト化を図ることにより収納や移設を容易にし、喫煙スペースとして利用するのに適した折り畳み式テントを提供することを課題とする。
【課題を解決するための手段】
【０００７】
上記の課題を解決するため、本発明では、次の技術的手段を講じている。
【０００８】
本発明の第１の側面によって提供される折り畳み式テントは、横方向に離れて位置し、各々が横方向に延びる第１の軸を中心として回動可能に連結された前脚部および後脚部を有する左右一対の脚フレームと、各々が横方向に離れた両端部を有するアーチ状とされ、かつ上記一対の脚フレームに支持されており、前後方向において相互に離間する展開状態、および前後方向において相互に近接する折り畳み状態、をとりうるように各々の両端部どうしが上記第１の軸より下位に位置して横方向に延びる第２の軸を中心として回動可能に連結された第１、第２および第３のメインフレームと、上記展開状態をとる上記第１、第２および第３のメインフレームによって規定された領域を覆うシート材と、を備え、上記第１のメインフレームは、上記各脚フレームの上記前脚部に対して上記第１の軸より下位かつ上記第２の軸より上位に位置して横方向に延びる第３の軸周りに回動可能に連結され、上記第２のメインフレームは、上記各脚フレームの上記後脚部に対して上記第１の軸より下位かつ上記第２の軸より上位に位置して横方向に延びる第４の軸周りに回動可能に連結され、上記第３のメインフレームは、上記各脚フレームの上記後脚部における上記第４の軸より下位の所定の部位を所定の長さの範囲で摺動可能に支持する支持手段を備えることを特徴としている。
【０００９】
本発明の好ましい実施の形態においては、上記第１、第２および第３のメインフレームが展開状態をとるとき、上記第１および第２のメインフレームの上記第２の軸周りの相対回動を規制する回動規制手段を備える。
【００１０】
本発明の好ましい実施の形態においては、上記回動規制手段は、両端部が上記第１および第２のメインフレームそれぞれに連結され、前後方向に延びる補助フレームを含む。
【００１１】
本発明の好ましい実施の形態においては、上記補助フレームは、一端が上記第１および第２のメインフレームの一方に対して横方向に延びる第５の軸周りに回動可能に連結され、他端が上記第１および第２のメインフレームの他方に対して着脱可能に連結される。
【００１２】
本発明の好ましい実施の形態においては、上記支持手段は、上記第３のメインフレームに沿う方向に延びるように当該第３のメインフレームに設けられたガイド溝と、上記ガイド溝にスライド可能に嵌入させられ、上記各脚フレームの上記後脚部に設けられたガイドピンと、を含み、上記第１、第２および第３のメインフレームが展開状態をとるとき、上記ガイドピンが上記ガイド溝の後方端に位置する。
【００１３】
本発明の好ましい実施の形態においては、上記第１、第２および第３のメインフレームが上記展開状態をとるとき、上記前脚部は前方に向かうほど下方に変位するように傾斜して延び、上記後脚部は後方に向かうほど下方に変位するように傾斜して延びる。
【００１４】
本発明の好ましい実施の形態においては、上記前脚部および後脚部の各々の下端には、上記第１、第２および第３のメインフレームが上記展開状態をとるときに水平面に沿う接地用プレートが設けられている。
【００１５】
本発明の好ましい実施の形態においては、上記第１、第２および第３のメインフレームが上記展開状態をとるとき、上記前脚部および後脚部の上記第１の軸周りの相対回動を規制する追加の回動規制手段を備える。
【００１６】
本発明の好ましい実施の形態においては、上記脚フレームには、上記シート材によって囲まれた空間の内側に位置する灰皿が設けられている。
【００１７】
本発明の第２の側面によって提供される折り畳み式テントのフレーム構造体は、横方向に離れて位置し、各々が横方向に延びる第１の軸を中心として回動可能に連結された前脚部および後脚部を有する左右一対の脚フレームと、各々が横方向に離れた両端部を有するアーチ状とされ、かつ上記一対の脚フレームに支持されており、前後方向において相互に離間する展開状態、および前後方向において相互に近接する折り畳み状態、をとりうるように各々の両端部どうしが上記第１の軸より下位に位置して横方向に延びる第２の軸を中心として回動可能に連結された第１、第２および第３のメインフレームと、を備え、上記第１のメインフレームは、上記各脚フレームの上記前脚部に対して上記第１の軸より下位かつ上記第２の軸より上位に位置して横方向に延びる第３の軸周りに回動可能に連結され、上記第２のメインフレームは、上記各脚フレームの上記後脚部に対して上記第１の軸より下位かつ上記第２の軸より上位に位置して横方向に延びる第４の軸周りに回動可能に連結され、上記第３のメインフレームは、上記各脚フレームの上記後脚部における上記第４の軸より下位の所定の部位を所定の長さの範囲で摺動可能に支持する支持手段を備えることを特徴としている。
【００１８】
本発明のその他の特徴および利点は、添付図面を参照して以下に行う詳細な説明によって、より明らかとなろう。
【図面の簡単な説明】
【００１９】
【図１】本発明に係る折り畳み式テントの一例を示す正面図である。
【図２】図１に示す折り畳み式テントの右側面図である。
【図３】図１に示す折り畳み式テントの平面図である。
【図４】図１のＩＶ−ＩＶ線に沿う断面図である。
【図５】フレーム構造体の右側面図である。
【図６】フレーム構造体の平面図である。
【図７】第１、第２および第３のメインフレームフレームの連結部分を示す斜視図であり、（ａ）は分解状態を表し、（ｂ）は連結状態を表す。
【図８】第２のメインフレームに対する補助フレームの連結構造を斜め下方から見た分解斜視図である。
【図９】フレーム構造体の折り畳み手順を説明するための右側面図である。
【図１０】フレーム構造体の折り畳み手順を説明するための右側面図である。
【図１１】フレーム構造体の折り畳み状態を示す右側面図である。
【図１２】フレーム構造体の折り畳み状態を示す右側面図である。
【発明を実施するための形態】
【００２０】
以下、本発明の好ましい実施の形態について、図面を参照して具体的に説明する。
【００２１】
図１〜図４は、本発明に係る折り畳み式テントの一例を表している。本実施形態の折り畳み式テントＡは、フレーム構造体１と、シート材２と、灰皿３と、を備え、たとえば屋外の地面ＧＲに設置して喫煙スペースとして利用するものである。詳細は後述するが、折り畳み式テントＡは、フレーム構造体１を展開して使用し、不使用時などにおいてはフレーム構造体１を折り畳むことが可能な構成とされており、図１〜図６は、フレーム構造体１を展開した状態（展開状態）を示し、図１１、図１２は、フレーム構造体１を折り畳んだ状態（折り畳み状態）を示す。
【００２２】
フレーム構造体１は、たとえば塗装などの防食処理が施された鉄製のパイプ材等が連結されて構成されたものであり、一対の脚フレーム１０と、一対の脚フレーム１０に支持されたメインフレーム１１，１２，１３と、２本の補助フレーム１４とを備えて構成されている。
【００２３】
一対の脚フレーム１０は、横方向（図１における左右方向）に離れて左右に対をなして位置している。各脚フレーム１０は前脚部１０Ａおよび後脚部１０Ｂを有しており、これら前脚部１０Ａおよび後脚部１０Ｂは、前後方向（図５、図６における左右方向）の中央において各々の一端部どうしが横方向に延びる軸Ｏ１を中心として回動可能に連結されている。なお、図２における左側を前方とし、同図における右側を後方として前後の方向を特定することとする。
【００２４】
図５に表れているように、フレーム構造体１が展開状態をとるとき、前脚部１０Ａは前方に向かうほど下方に変位するように傾斜して延びており、後脚部１０Ｂは後方に向かうほど下方に変位するように傾斜して延びている。後脚部１０Ｂの所定の部位には、後述するガイド溝１３２ａにスライド可能に嵌入するガイドピン１０１が設けられている。前脚部１０Ａおよび後脚部１０Ｂの各々の下端には、接地用プレート１０２が設けられている。これら接地用プレート１０２は、フレーム構造体１が展開状態をとるときに水平面に沿っている。
【００２５】
脚フレーム１０には、脚フレームカバー３１が取り付けられている。図４に表れているように、脚フレームカバー３１は、前脚部１０Ａおよび後脚部１０Ｂに跨ってこれらの一部を覆うように取り付けられている。この脚フレームカバー３１により、フレーム構造体１が展開状態をとるとき、前脚部１０Ａおよび後脚部１０Ｂの軸Ｏ１周りの相対回動が規制される。ここで、脚フレームカバー３１は、本発明でいう追加の回動規制手段に相当する。
【００２６】
本実施形態において、接地用プレート１０２には重し４が取り付けられている。重し４は前後方向に延びるプレート状であり、前脚部１０Ａの接地用プレート１０２と後脚部１０Ｂの接地用プレート１０２とに重なる状態にて、ビス止めなどの適宜手段により着脱可能に取り付けられている。
【００２７】
図５、図６に表れているように、メインフレーム１１，１２，１３は、その各々が、全体としてアーチ状とされており、横方向に離れた両端部を有する。これらメインフレーム１１，１２，１３は、各々の両端部どうしが横方向に延びる軸Ｏ２を中心として回動可能に連結されている。軸Ｏ２は、上記した軸Ｏ１よりも下位に位置する。
【００２８】
図７に表れているように、メインフレーム１１，１２，１３には、それぞれの端部において偏平円形状の連結プレート１１１，１２１，１３１が設けられている。連結プレート１１１，１２１，１３１の中央にはそれぞれ軸孔１１１ａ，１２１ａ，１３１ａが形成されている。連結プレート１１１，１２１，１３１はワッシャ１５を介在して重ね合わされ、軸孔１１１ａ，１２１ａ，１３１ａに軸部材１６が挿通された状態において、割りピン１７によって当該軸部材１６の脱落が防止される。このような構成により、メインフレーム１１，１２，１３は、軸部材１６（軸Ｏ２）を中心として相互に回動可能に連結されている。
【００２９】
図５に表れているように、メインフレーム１１は、各脚フレーム１０の前脚部１０Ａに対して、両端部寄りの所定部位において横方向に延びる軸Ｏ３周りに回動可能に連結されている。軸Ｏ３は、軸Ｏ１よりも下位かつ軸Ｏ２より上位に位置し、また、軸Ｏ１，Ｏ２より前方に位置する。
【００３０】
メインフレーム１２は、各脚フレーム１０の後脚部１０Ｂに対して、両端部寄りの所定部位において横方向に延びる軸Ｏ４周りに回動可能に連結されている。軸Ｏ４は、軸Ｏ１よりも下位かつ軸Ｏ２より上位に位置し、また、軸Ｏ１，Ｏ２より後方に位置する。
【００３１】
メインフレーム１３は、その両端部近傍から軸Ｏ２に対して交差する方向に延びる部分を有し、当該部分に沿って延びるガイドプレート１３２が設けられている。ガイドプレート１３２には、その長手方向に延びるガイド溝１３２ａが形成されており、このガイド溝１３２ａに、各脚フレーム１０の後脚部１０Ｂに設けられたガイドピン１０１が嵌入している。フレーム構造体１が展開状態をとるとき、ガイドピン１０１は、ガイド溝１３２ａの後方端に位置する。かかる構成により、メインフレーム１３は、脚フレーム１０の後脚部１０Ｂにおける所定の部位（ガイドピン１０１が設けられた部位）において、ガイド溝１３２ａに沿って所定の長さの範囲で摺動可能に支持されている。
【００３２】
そして、図５に表れているように、フレーム構造体１が展開状態をとるとき、メインフレーム１１，１２，１３は、前後方向において相互に離間している。なお、展開状態をとるときのフレーム構造体１の寸法の一例を挙げると、横方向については一対の脚フレーム１０の下端どうしの寸法が２．１ｍ程度であり、前後方向についてはメインフレーム１１の最前方部からメインフレーム１３の最後方部までの寸法が２．５ｍ程度であり、高さ方向については接地用プレート１０２からメインフレーム１１の最上位部までの寸法が２．２ｍ程度である。
【００３３】
図５、図６に表れているように、補助フレーム１４は、前後方向に延びるビーム状であり、前方端がメインフレーム１１に連結され、後方端がメインフレーム１２に連結されている。本実施形態では、２本の補助フレーム１４が横方向に間隔を隔てて設けられている。
【００３４】
補助フレーム１４の前方端は、横方向に延びる軸Ｏ５を中心として回動可能に連結されている。一方、補助フレーム１４の後方端には、図５、図８に表れているように、メインフレーム１２の外周面下側に沿う断面半円状の連結部１４１が設けられている。メインフレーム１２および連結部１４１には、互いに重なり合う孔１２２，１４２が形成されている。また、メインフレーム１２の内部には、孔１２２に臨む位置に図示しないインサートナットが設けられている。連結部１４１は、メインフレーム１２の外周面下側に重ねられ、たとえば孔１２２，１４２を通じて上記インサートナットにノブボルト１８をねじ込むことにより、メインフレーム１２に連結される。このようにして、連結部１４１（補助フレーム１４の後方端）は、メインフレーム１２に対して着脱可能に連結される。補助フレーム１４の連結部１４１をメインフレーム１２に連結することにより、フレーム構造体１が展開状態をとるとき、メインフレーム１１，１２の軸Ｏ２周りの相対回動が規制される。ここで、補助フレーム１４は、本発明でいう回動規制手段に相当する。
【００３５】
シート材２は、図１〜図４に表れているように、フレーム構造体１が展開状態をとるとき、メインフレーム１１，１２，１３によって規定された領域を覆うように張設されている。シート材２は、たとえば、ポリエステル繊維織物に塩化ビニル樹脂を被覆して構成されたものであり、複数のシート片が縫合されることにより、メインフレーム１１，１２，１３によって規定された領域に対応する形状となっている。図１〜図４において、シート片どうしの縫合箇所を破線で表している。
【００３６】
また、シート材２は、好ましくは防炎加工、紫外線遮断加工、防水加工等が施され、機能性向上が図られている。シート材２の周縁部の適所には、鳩目あるいは面ファスナなどの取付手段（図示略）が設けられている。当該取付手段により、シート材２は、メインフレーム１１，１３に対して着脱可能に取り付けられる。そして、本実施形態においては、シート材２によって囲まれた空間の内側が喫煙スペースとして利用される。
【００３７】
本実施形態では、灰皿３は、図１に表れているように、脚フレームカバー３１のそれぞれに１つずつ支持されている。図１、図４から理解されるように、灰皿３は、シート材２によって囲まれた空間の内側に設置されている。なお、本実施形態において、メインフレーム１２には、夜間等において喫煙スペースとしての内部空間を照明するための照明器具５が設けられている。
【００３８】
次に、上記構成の折り畳み式テントＡ（フレーム構造体１）を展開状態から折り畳み状態まで折り畳む手順について説明する。
【００３９】
まず、シート材２、脚フレームカバー３１（灰皿３を含む）、重し４、および照明器具５をフレーム構造体１から取り外す。ここで、脚フレームカバー３１を取り外すことにより、脚フレーム１０の前脚部１０Ａおよび後脚部１０Ｂは、軸Ｏ１周りに相対回動可能となる。
【００４０】
次に、補助フレーム１４を押さえながら補助フレーム１４の後方端に取り付けられたノブボルト１８を外す。これにより、メインフレーム１２と補助フレーム１４の連結部１４１との連結状態は解除される。そして、補助フレーム１４を放すと、図９に示すように、補助フレーム１４は自重により連結部１４１が下端となるように垂れ下がる。ここで、メインフレーム１２と補助フレーム１４の連結部１４１との連結が解除されることにより、メインフレーム１１，１２は、軸Ｏ２周りに相対回動可能となる。
【００４１】
次いで、図９、図１０に示すように、メインフレーム１１を後方へ回動（図中矢印Ｎ１方向）させるとともにメインフレーム１３を上向き前方に回動（図中矢印Ｎ２方向）させ、それと同時に脚フレーム１０の後脚部１０Ｂを前脚部１０Ａ側に近付けるように回動させる（図中矢印Ｎ３方向）。この作業は、たとえばフレーム構造体１の横方向における両外側に２人の作業者が向かい合って立ち、各人が両手でメインフレーム１１，１３それぞれを掴んで回動させ、片足を後脚部１０Ｂの下端付近に引っ掛けて引き寄せることにより、行うことができる。
【００４２】
ここで、メインフレーム１２，１３は軸Ｏ２を中心として、メインフレーム１２および脚フレーム１０の後脚部１０Ｂは軸Ｏ４を中心として、それぞれ相互に回動可能に連結されている。そして、メインフレーム１３は、後脚部１０Ｂのガイドピン１０１をガイド溝１３２ａに沿って所定の長さ範囲で摺動可能に支持している。これにより、上記したメインフレーム１３の上向き前方への回動（図中矢印Ｎ２方向）、および後脚部１０Ｂの前脚部１０Ａ側への回動（図中矢印Ｎ３方向）によって、メインフレーム１３がメインフレーム１２に近接するとともに後脚部１０Ｂが前脚部１０Ａに近接する。ここで、後脚部１０Ｂの回動操作は途中まで行えばよく、図９、図１０を対比すると理解されるように、図１０に示す状態においては、メインフレーム１３が回動すると、この回動動作に連動して、後脚部１０Ｂのガイドピン１０１がガイド溝１３２ａに沿って摺動し、後脚部１０Ｂが回動する。
【００４３】
一方、脚フレーム１０の前脚部１０Ａおよび後脚部１０Ｂは軸Ｏ１を中心として、メインフレーム１１，１２は軸Ｏ２を中心として、メインフレーム１１および前脚部１０Ａは軸Ｏ３を中心として、メインフレーム１２および後脚部１０Ｂは軸Ｏ４を中心として、それぞれ相互に回動可能に連結されている。このため、前脚部１０Ａ、後脚部１０Ｂ、およびメインフレーム１１，１２は、軸Ｏ１，Ｏ２，Ｏ３，Ｏ４が変形可能な四角形の頂点をなすリンク機構を構成している。これにより、上記したメインフレーム１１の後方への回動、およびメインフレーム１３の上向き前方への回動に連動する後脚部１０Ｂの前脚部１０Ａ側への回動、によって、図１１に示すように、軸Ｏ１，Ｏ２，Ｏ３，Ｏ４が前後方向における狭い範囲に集約し、フレーム構造体１（前脚部１０Ａ、後脚部１０Ｂ、およびメインフレーム１１，１２，１３）が折り畳まれる。このとき、メインフレーム１１，１２，１３は相互に近接しており、脚フレーム１０の前脚部１０Ａと後脚部１０Ｂとは、下端どうしが近接している。
【００４４】
本実施形態においては、図１１に示すように、フレーム構造体１が折り畳み状態をとるとき、前脚部１０Ａの接地用プレート１０２と後脚部１０Ｂの接地用プレート１０２とは、それぞれ水平面に対して傾斜した山形となっている。したがって、折り畳み状態をとるフレーム構造体１は、自立させるには不安定である。これに対し、図１２に示すように、接地用プレート１０２の傾斜に対応する山形部６１を備えた自立用プレート６を用いて、接地用プレート１０２を山形部６１にビス止めなどの適宜手段により固定すれば、折り畳み状態をとるフレーム構造体１を安定して自立させることができる。なお、補助フレーム１４については、たとえば、メインフレーム１１に沿う姿勢をとらせたうえで図示しないバンド等によりメインフレーム１１に巻き付けると、メインフレーム１１との相対回動が規制される。
【００４５】
図１２に示した折り畳み状態にあるフレーム構造体１を展開状態にするには、上記の折り畳み手順と反対の操作を行えばよい。
【００４６】
次に、折り畳み式テントＡの作用について説明する。
【００４７】
本実施形態の折り畳み式テントＡにおいて、フレーム構造体１は一対の脚フレーム１０および当該一対の脚フレーム１０に支持されたアーチ状のメインフレーム１１，１２，１３を具備しており、図２、図５によく表れているように、フレーム構造体１が展開状態をとるときにメインフレーム１１，１２，１３が前後方向に相互に離間している。メインフレーム１１は、各脚フレーム１０の前脚部１０Ａに対してメインフレーム１１，１２，１３の両端部の回動中心（軸Ｏ２）よりも上位の軸Ｏ３周りに回動可能であり、軸Ｏ２から斜め上向き前方に延びている。メインフレーム１２は、各脚フレーム１０の後脚部１０Ｂに対して軸Ｏ２よりも上位の軸Ｏ４周りに回動可能であり、軸Ｏ２から斜め上向き後方に延びている。メインフレーム１３は、後脚部１０Ｂにおける軸Ｏ４よりも下位のガイドピン１０１を支持しており、軸Ｏ２から後方に延びている。このように、展開状態をとるメインフレーム１１，１２，１３が離間した配置であるため、メインフレーム１１，１２，１３によって規定された領域にシート材２を張設することにより、シート材２に囲まれた内側空間を喫煙スペースとして利用することができる。
【００４８】
アーチ状のメインフレーム１１は、前方に臨んで大きく開口しており、喫煙者の出入口となる。メインフレーム１１をこのように配置することにより、喫煙者の出入がスムーズになされるとともに、開放感のある喫煙スペースを提供することができる。一方、メインフレーム１２，１３を上記のように配置することにより、後方に向けて比較的広い内側空間を形成することができる。
【００４９】
折り畳み式テントＡのフレーム構造体１においては、一対の脚フレーム１０およびメインフレーム１１，１２，１３を主要構成要素としており、比較的少量のフレームが効率よく配置された態様である。これにより、フレーム構造の簡素化および軽量化を図ることができ、折り畳み作業、あるいは移設や保管に際して、容易に取り扱うことができる。
【００５０】
脚フレーム１０（前脚部１０Ａおよび後脚部１０Ｂ）、およびメインフレーム１１，１２，１３の相互の連結状態は、折り畳み手順の説明等において上述したとおりである。これらフレームどうしの連結状態について上述のようにリンク機構や摺動可能な構造を取り入れて独自の工夫を施すことにより、脚フレーム１０およびメインフレーム１１，１２，１３を効率よく簡単に折り畳むことができる。
【００５１】
本実施形態のフレーム構造体１は、補助フレーム１４を具備しており、フレーム構造体１が展開状態をとるとき、補助フレーム１４の両端部がメインフレーム１１，１２に連結されている。このような構成によれば、メインフレーム１１，１２の相対回動が規制され、メインフレーム１１，１２（フレーム構造体１）の展開状態を適切に維持することができる。また、補助フレーム１４は、前後方向に延びるビーム状とされているため、フレーム構造体１の骨組構造をなしている。このような構成は、展開状態をとるフレーム構造体１の堅牢化に適する。
【００５２】
フレーム構造体１が展開状態をとるとき、脚フレーム１０の前脚部１０Ａは前方に向かうほど下方に変位するように傾斜して延びており、後脚部１０Ｂは後方に向かうほど下方に変位するように傾斜して延びている。また、前細部１０Ａおよび後脚部１０Ｂの各々の下端には水平面に沿う接地用プレート１０２が設けられている。このような構成によれば、フレーム構造体１の地面ＧＲへの設置状態が安定する。
【００５３】
脚フレーム１０には脚フレームカバー３１が取り付けられおり、この脚フレームカバー３１により、フレーム構造体１が展開状態をとるとき前脚部１０Ａおよび後脚部１０Ｂの軸Ｏ１周りの相対回動が規制される。このような構成によれば、フレーム構造体１の展開状態を適切に維持することができる。
【００５４】
フレーム構造体１が展開状態をとるとき、ガイドピン１０１はガイド溝１３２ａの後方端に位置している。これにより、ガイドピン１０１が設けられた後脚部１０Ｂがさらに展開側へ回動することは防止される。
【００５５】
以上、本発明の具体的な実施形態を説明したが、本発明はこれに限定されるものではなく、発明の思想から逸脱しない範囲内で種々な変更が可能である。本発明に係る折り畳み式テントおよびこれを構成するフレーム構造体の各部の具体的な形状や材質なども、上記実施形態に限定されるものではない。
【００５６】
上記実施形態において、折り畳み式テントを喫煙スペースとして利用する場合を例に挙げて説明したが、本発明に係る折り畳み式テントは他の用途に利用してもよい。たとえば、電気自動車の充電用装置を折り畳み式テントの内側空間に配置すれば、電気自動車用充電スタンドの風雨避け用として利用することができる。
【符号の説明】
【００５７】
Ａ        折り畳み式テント
ＧＲ      地面
Ｏ１      軸（第１の軸）
Ｏ２      軸（第２の軸）
Ｏ３      軸（第３の軸）
Ｏ４      軸（第４の軸）
Ｏ５      軸（第５の軸）
Ｏ６      軸（第６の軸）
１        フレーム構造体
１０      脚フレーム
１０Ａ    前脚部
１０Ｂ    後脚部
１０１    ガイドピン
１０２    接地用プレート
１１      メインフレーム（第１のメインフレーム）
１１１    連結プレート
１１１ａ  軸孔
１２      メインフレーム（第２のメインフレーム）
１２１    連結プレート
１２１ａ  軸孔
１３      メインフレーム（第３のメインフレーム）
１３１    連結プレート
１３１ａ  軸孔
１３２    ガイドプレート
１３２ａ  ガイド溝
１４      補助フレーム
１５      ワッシャ
１６      軸部材
１７      割りピン
１８      ノブボルト
２        シート材
３        灰皿
３１      脚フレームカバー（追加の回動規制手段）
４        重し
５        照明器具
６        自立用プレート
６１      山形部
【図１】
2014091931.tif 000003
【図２】
2014091931.tif 000004
【図３】
2014091931.tif 000005
【図４】
2014091931.tif 000006
【図５】
2014091931.tif 000007
【図６】
2014091931.tif 000008
【図７】
2014091931.tif 000009
【図８】
2014091931.tif 000010
【図９】
2014091931.tif 000011
【図１０】
2014091931.tif 000012
【図１１】
2014091931.tif 000013
【図１２】
2014091931.tif 000014